【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
表示されたスクロール可能なビューワのユーザによるスクロールを可能にするための方法をコンピューティングシステムのプロセッサに実行させる、プログラムを記録したコンピュータ読取可能記録媒体であって、前記方法は、
前記スクロール可能なビューワを表示する動作と、
前記スクロール可能なビューワを表示している間に、前記表示されたスクロール可能なビューワの内側部分にあるカーソル位置に対応するユーザ入力を検出する動作と、
前記検出する動作に応答して、前記表示されたスクロール可能なビューワの前記内側部分においてスクロールコントロールを起動する動作と
を含み、起動されるスクロールコントロールは、前記表示されたスクロール可能なビューワと重なって、前記表示されたスクロール可能なビューワの少なくとも前記内側部分の上にオーバレイされ、前記スクロールコントロールは、水平方向および垂直方向にスクロール可能なコンテンツ範囲を表す二次元の範囲表示を備え、さらに前記二次元の範囲表示内に水平および垂直にドラッグすることができる二次元のつまみを含み、少なくとも２つのスクロール可能な方向への前記スクロール可能なビューワのスクロールを可能にすることを特徴とするコンピュータ読取可能記録媒体。
【請求項２】
物理メモリとして構成されることを特徴とする請求項１に記載のコンピュータ読取可能記録媒体。
【請求項３】
前記スクロール可能なビューワは三次元にスクロール可能であって、深さ方向の外観を有し、前記スクロールコントロールは、前記ユーザによる前記三次元内の任意の方向へのスクロールを可能にすることを特徴とする請求項１に記載のコンピュータ読取可能記録媒体。
【請求項４】
前記スクロールコントロールは、コンテンツの３つのスクロール可能な範囲を表す三次元の範囲表示を備えることを特徴とする請求項１に記載のコンピュータ読取可能記録媒体。
【請求項５】
前記スクロールコントロールは、前記三次元の範囲表示内に配置された三次元のつまみをさらに含むことを特徴とする請求項４に記載のコンピュータ読取可能記録媒体。
【請求項６】
前記スクロールコントロールが前記表示されたスクロール可能なビューワと重なることにより、当該重複が生じている場所において前記スクロールコントロールと前記表示されたスクロール可能なビューワとの双方が可視になることを特徴とする請求項１に記載のコンピュータ読取可能記録媒体。
【請求項７】
前記スクロールコントロールは、前記表示されたスクロール可能なビューワの境界の端から少なくとも部分的に分離され、かつ前記表示されたスクロール可能なビューワによって完全に囲まれるように、前記表示されたスクロール可能なビューワの前記内側部分の中に提示されることを特徴とする請求項１に記載のコンピュータ読取可能記録媒体。
【請求項８】
表示されたスクロール可能なビューワ内にスクロールオプションとスクロールコンテキストをユーザに通知するための方法をコンピューティングシステムのプロセッサに実行させるプログラムを記録した物理的なコンピュータ読取可能記録媒体であって、前記方法は、
スクロール可能なビューワ内にカーソルがナビゲートされたことを検出する動作と、
前記スクロール可能なビューワ内に前記カーソルがナビゲートされたことを検出する動作に応答して、前記スクロール可能なビューワのスクロール可能なコンテキスト全体における前記スクロール可能なビューワの現在表示されている部分の位置を表すスクロールコンテキストエンブレムを表示する動作と
を含み、前記スクロールコンテキストエンブレムは、前記スクロール可能なビューワと重なって、前記スクロール可能なビューワの少なくとも前記カーソルの位置に対応する内側部分の上にオーバレイされており、前記スクロールコンテキストエンブレムは、水平および垂直のスクロール可能な方向を表し、前記スクロール可能なビューワの二次元の範囲全体を表す二次元の範囲表示を備え、さらに、前記スクロール可能なビューワの全体の範囲における前記スクロール可能なビューワの現在表示されている部分の適切な位置を表す二次元のつまみを含むことを特徴とするコンピュータ読取可能記録媒体。
【請求項９】
前記方法は、
前記スクロール可能なビューワのサイズが変化したことを検出する動作と、
前記スクロール可能なビューワのサイズが変化したことを検出する動作に続いて、前記変化したサイズを有する前記スクロール可能なビューワに前記カーソルがナビゲートされたことを検出する動作と、
前記カーソルがナビゲートされたことを検出する動作に応答して、前記変化したサイズに基づいて前記カーソルがある前記スクロール可能なビューワの１つまたは複数のスクロール可能な方向を識別する動作と、
複数の可能なスクロールコンテキストエンブレムのタイプのうち、前記識別された１つまたは複数のスクロール可能な方向に応じて前記カーソルを装飾する１つのエンブレムを選択する動作と
をさらに含むことを特徴とする請求項８に記載のコンピュータ読取可能記録媒体。
【請求項１０】
前記識別する動作は、水平のスクロール可能な方向のみを識別し、前記選択されたエンブレムは、水平に方向付けられた範囲表示であって、前記スクロール可能なビューワの範囲全体における前記スクロール可能なビューワの現在表示されている部分の適切な位置を表すつまみを有した範囲表示を備えることを特徴とする請求項９に記載のコンピュータ読取可能記録媒体。
【請求項１１】
前記識別する動作は、垂直のスクロール可能な方向のみを識別し、前記選択されたエンブレムは、垂直に方向付けられた範囲表示であって、前記スクロール可能なビューワの範囲全体における前記スクロール可能なビューワの現在表示されている部分の適切な位置を表すつまみを有した範囲表示を備えることを特徴とする請求項９に記載のコンピュータ読取可能記録媒体。
【請求項１２】
前記識別する動作は、垂直および水平のスクロール可能な方向の双方を識別し、前記選択されたエンブレムは、前記スクロール可能なビューワの二次元の範囲全体を表す二次元の範囲表示を備え、および当該二次元の範囲表示内に配置された二次元のつまみであって、前記スクロール可能なビューワの範囲全体における前記スクロール可能なビューワの現在表示されている部分の適切な位置を表す二次元のつまみを含むこと特徴とする請求項９に記載のコンピュータ読取可能記録媒体。
【請求項１３】
前記スクロールコンテキストエンブレムは、少なくとも一時的に前記カーソルとともに移動することを特徴とする請求項８に記載のコンピュータ読取可能記録媒体。
【請求項１４】
表示されたスクロール可能なビューワのユーザによるスクロールを可能にするための方法であって、
前記スクロール可能なビューワを表示する動作と、
前記スクロール可能なビューワを表示している間に、前記表示されたスクロール可能なビューワの内側部分にあるカーソル位置に対応するユーザ入力を検出する動作と、
前記検出する動作に応答して、前記表示されたスクロール可能なビューワの前記内側部分においてスクロールコントロールを起動する動作と
を含み、前記スクロールコントロールは、前記表示されたスクロール可能なビューワと重なって、前記表示されたスクロール可能なビューワの少なくとも前記内側部分の上にオーバレイされており、前記スクロールコントロールは、水平方向および垂直方向にスクロール可能なコンテンツ範囲を表す二次元の範囲表示を備え、かつ前記二次元の範囲表示内で水平および垂直にドラッグすることができる二次元のつまみをさらに含み、前記スクロールコントロールは、前記スクロール可能なビューワの少なくとも２つのスクロール可能な方向へのスクロールを可能することを特徴とする方法。